【手続補正書】
【提出日】平成28年5月2日(2016.5.2)
【手続補正１】
【補正対象書類名】明細書
【補正対象項目名】０１１６
【補正方法】変更
【補正の内容】
【０１１６】
本発明の様々な修正及び変更は、本発明の趣旨及び範囲から逸脱することなく、当業者にとって明らかとなり、本発明は本発明において説明される例示的な実施形態に限定されないものと理解されるべきである。例えば、開示される透明な導電性物品はまた、防反射コーティング、及び／又は保護ハードコートを含んでもよい。読者は、開示される一実施形態の特徴はまた、他に指示がない限り、他の全ての開示される実施形態に応用され得る。本明細書において参照される、米国特許、特許出願公開、並びに他の特許文献及び非特許文献は、これらが先行する開示と矛盾しない限りにおいて、参照として組み込まれる。本発明の実施態様の一部を以下の項目［１］−［２１］に記載する。
［１］
広帯域出力光を放射するための光源であって、
基部と、
前記基部に取付けられた光透過性のカバー部材と、
前記基部によって支持されるとともに前記カバー部材によって覆われた、第１のＬＥＤ、第２のＬＥＤ、第１の蛍光体層、及び第１の二色性反射体と、を備え、
前記第１の二色性反射体は、前記第１のＬＥＤからの少なくとも幾つかの励起光を前記第１の蛍光体層上に反射して前記第１の蛍光体層に第１の蛍光を放射させるように構成され、前記第１の二色性反射体は、前記第１の蛍光を実質的に透過するように構成され、
前記第２のＬＥＤは、前記第１の二色性反射体を含む如何なる二色性反射体を通過することなく前記第２のＬＥＤから前記カバー部材に伝播する少なくともいくらかの光を放射するように配置される、光源。
［２］
前記第１のＬＥＤ、前記第１の蛍光体層、及び前記第１の二色性反射体は、前記少なくともいくらかの励起光が、前記第１の蛍光体層を通過することなしに前記第１のＬＥＤから前記第１の二色性反射体に伝播するように配置されている、項目１に記載の光源。
［３］
前記光源によって放射される光が実質的に白色である、項目１に記載の光源。
［４］
前記第１のＬＥＤが３４０〜４８０ナノメートルのピーク波長の光を放射する、項目１に記載の光源。
［５］
前記第１のＬＥＤが４００〜４７０ナノメートルのピーク波長の光を放射する、項目１に記載の光源。
［６］
前記第２のＬＥＤは複数の非ポンプＬＥＤのうちの一つである、項目１に記載の光源。
［７］
前記非ポンプＬＥＤが、４４５〜５００ナノメートルの範囲のピーク波長の青色放射ＬＥＤと６００〜６５０ナノメートルの範囲のピーク波長の赤色放射ＬＥＤとを含む、項目６に記載の光源。
［８］
前記第１及び第２のＬＥＤを第１及び第２の駆動信号でそれぞれ制御するように構成された制御装置を更に備える、項目１に記載の光源。
［９］
前記カバー部材が光を拡散させるものである、項目１に記載の光源。
［１０］
前記第１の二色性反射体は、凹状であり、かつ前記第１のＬＥＤ及び前記第１の蛍光体層を覆っている、項目１に記載の光源。
［１１］
前記カバー部材が凹状である、項目１に記載の光源。
［１２］
前記光源によって放射される光は、実質的に白色であり、かつ少なくとも８０の演色評価数を有する、項目１に記載の光源。
［１３］
前記第１のＬＥＤは複数のポンプＬＥＤのうちの一つである、項目１に記載の光源。
［１４］
前記第１の蛍光体層は複数の蛍光体層のうちの一つであり、かつ前記第１の二色性反射体は複数の二色性反射体のうちの一つであって、前記二色性反射体のそれぞれが前記ポンプＬＥＤのうちの少なくとも一つからの励起光を前記蛍光体層のうちの対応する一つの上に反射するように構成されている、項目１３に記載の光源。
［１５］
前記ポンプＬＥＤのそれぞれが主要放射表面積である主要な放射表面を有し、前記主要放射表面積の合計が総体ＬＥＤ表面積ＡＬＥＤであり、かつ前記蛍光体層はその上に光が入射する主要表面をそれぞれ有し、前記蛍光体入射表面積が総体的な蛍光体表面積Ａｐｈｏｓｐｈｏｒであり、かつＡｐｈｏｓｐｈｏｒ／ＡＬＥＤが１０以下である、項目１３に記載の光源。
［１６］
前記第１の蛍光体層が、発光帯が異なる二つ以上の蛍光体を有するパターン化された蛍光体を含んでいる、項目１に記載の光源。
［１７］
方法であって、
第１のＬＥＤ、第２のＬＥＤ、及び第１の蛍光体層を準備する工程と、
前記第１のＬＥＤからの少なくとも幾つかの励起光を遮断し、かつ前記第１の蛍光体層上にそのような励起光を反射させて前記第１の蛍光体層に第１の蛍光を放射させるべく、前記第１の二色性反射体を配置する工程と、
前記第１の蛍光を前記第１の二色性反射体を介して実質的に透過させる工程と、
広帯域出力光をもたらすために、前記第１の二色性反射体を通って透過した前記第１の蛍光と、前記第１の二色性反射体を含む如何なる二色性反射体を通過しなかった前記第２のＬＥＤによって放射されたＬＥＤ光とを組み合わせる工程と、を含む、方法。
［１８］
前記準備する工程が複数のポンプＬＥＤを準備する工程を含み、前記複数のポンプＬＥＤが前記第１のＬＥＤと第３のＬＥＤを含む、項目１７に記載の方法。
［１９］
前記第１の二色性反射体はまた、前記第３のＬＥＤからの少なくとも幾つかの励起光を遮断し、かつそのような励起光を前記第１の蛍光体層上に反射して前記第１の蛍光体層が第１の蛍光をより多く放射するように配置される、項目１８に記載の方法。
［２０］
前記準備する工程が第２の蛍光体層を準備する工程を更に含み、
前記方法は、第３のＬＥＤからの少なくとも幾つかの励起光を遮断し、かつそのような励起光を前記第２の蛍光体層上に反射して前記第２の蛍光体層に第２の蛍光を放射させるべく、第２の二色性反射体を配置する工程を更に含み、
前記組み合わせる工程が、前記第２の二色性反射体を透過した第２の蛍光と、第１の二色性反射体を透過した第１の蛍光及び前記第２のＬＥＤによって放射されたが如何なる二色性反射体を透過しなかったＬＥＤ光とを組み合わせて、広帯域出力光をもたらす工程を含む、項目１８に記載の方法。
［２１］
前記第２のＬＥＤを準備する工程が、複数の非ポンプＬＥＤを準備する工程を含み、前記複数の非ポンプＬＥＤが前記第２のＬＥＤと第４のＬＥＤを含み、前記広帯域出力光が、前記第４のＬＥＤによって放射されたが如何なる二色性反射体を通過しなかったＬＥＤ光をも含む、項目１７に記載の方法。
【手続補正２】
【補正対象書類名】特許請求の範囲
【補正対象項目名】全文
【補正方法】変更
【補正の内容】
【特許請求の範囲】
【請求項１】
広帯域出力光を放射するための光源であって、
基部と、
前記基部に取付けられた光透過性のカバー部材と、
前記基部によって支持されるとともに前記カバー部材によって覆われた、第１のＬＥＤ、第２のＬＥＤ、第１の蛍光体層、及び第１の二色性反射体と、を備え、
前記第１の二色性反射体は、前記第１のＬＥＤからの少なくとも幾つかの励起光を前記第１の蛍光体層上に反射して前記第１の蛍光体層に第１の蛍光を放射させるように構成され、前記第１の二色性反射体は、前記第１の蛍光を実質的に透過するように構成され、
前記第２のＬＥＤは、前記第１の二色性反射体を含む如何なる二色性反射体を通過することなく前記第２のＬＥＤから前記カバー部材に伝播する少なくともいくらかの光を放射するように配置される、光源。
【請求項２】
前記第１のＬＥＤ、前記第１の蛍光体層、及び前記第１の二色性反射体は、前記少なくともいくらかの励起光が、前記第１の蛍光体層を通過することなしに前記第１のＬＥＤから前記第１の二色性反射体に伝播するように配置されている、請求項１に記載の光源。
【請求項３】
前記第１のＬＥＤは複数のポンプＬＥＤのうちの１つであり、前記第１の蛍光体層は複数の蛍光体層のうちの一つであり、かつ前記第１の二色性反射体は複数の二色性反射体のうちの一つであって、前記二色性反射体のそれぞれが前記ポンプＬＥＤのうちの少なくとも一つからの励起光を前記蛍光体層のうちの対応する一つの上に反射するように構成されている、請求項１に記載の光源。
【請求項４】
前記第１のＬＥＤは複数のポンプＬＥＤのうちの１つであり、前記ポンプＬＥＤのそれぞれが主要放射表面積である主要な放射表面を有し、前記主要放射表面積の合計が総体ＬＥＤ表面積ＡＬＥＤであり、かつ前記蛍光体層はその上に光が入射する主要表面をそれぞれ有し、前記蛍光体入射表面積が総体的な蛍光体表面積Ａｐｈｏｓｐｈｏｒであり、かつＡｐｈｏｓｐｈｏｒ／ＡＬＥＤが１０以下である、請求項１に記載の光源。
【請求項５】
方法であって、
第１のＬＥＤ、第２のＬＥＤ、及び第１の蛍光体層を準備する工程と、
前記第１のＬＥＤからの少なくとも幾つかの励起光を遮断し、かつ前記第１の蛍光体層上にそのような励起光を反射させて前記第１の蛍光体層に第１の蛍光を放射させるべく、前記第１の二色性反射体を配置する工程と、
前記第１の蛍光を前記第１の二色性反射体を介して実質的に透過させる工程と、
広帯域出力光をもたらすために、前記第１の二色性反射体を通って透過した前記第１の蛍光と、前記第１の二色性反射体を含む如何なる二色性反射体を通過しなかった前記第２のＬＥＤによって放射されたＬＥＤ光とを組み合わせる工程と、を含む、方法。